(57)【要約】【課題】可搬データ記憶媒体上に記憶されたコンテンツに対するアクセスを、該可搬データ記憶媒体の使用が許可された単一もしくは複数の処理システム対して制限する優れたシステムを提供すること。【解決手段】光学的に読取可能な目印から成る固有コードを内部に備える光媒体を、該光媒体が読取られるべき処理デバイスに対してロックする光媒体登録システム。【選択図】なし【特許請求の範囲】
【請求項１】
プラットフォーム上で使用されるコンテンツ・データが使用モードにおいて実行されることをライセンス付与する登録システムであって、多重記録層光媒体上に記録された固有ＩＤと、上記多重記録層光媒体上に記録された上記固有ＩＤが、上記プラットフォームに対して既知である固有ＩＤと相関可能であるときに、上記コンテンツ・データの使用を許容するモード切換えシステムとを含む登録システム。
【請求項２】
前記プラットフォームはプラットフォーム・プロセッサを備えて成る請求項１記載の登録システム。
【請求項３】
前記プラットフォーム・プロセッサはコンピュータである請求項２記載の登録システム。
【請求項４】
前記多重記録層光媒体は３次元的な光記録媒体である請求項１記載の登録システム。
【請求項５】
前記光記録媒体の前記固有ＩＤは、ひとつ以上の記録層内、および／または、上記ひとつ以上の記録層の外部に記憶される請求項１記載の登録システム。
【請求項６】
前記固有ＩＤは前記光媒体上の一個以上の光学的目印を備えて成る請求項５記載の登録システム。
【請求項７】
前記光学的目印は、当該システムの少なくともひとりのユーザにより設定不能または変更不能である請求項６記載の登録システム。
【請求項８】
前記モード切換えシステムはソフトウェア・プログラムを備えて成る請求項１記載の登録システム。
【請求項９】
前記固有ＩＤは、当該システムのユーザに関連する入力を用いて算出される請求項１記載の登録システム。
【請求項１０】
前記固有ＩＤは、一連の質問に対するユーザ回答を用いて算出される請求項１記載の登録システム。
【請求項１１】
前記固有ＩＤは、前記光媒体が読取られるべき前記プロセッサのプロセッサ動作パラメータを用いて算出される請求項１記載の登録システム。
【請求項１２】
光記録媒体上に記憶されたコンテンツ・データの読取り実行を特定のプロセッサに制限するプロセッサ・セキュリティ・システムであって、固有キーを検索読取し得るプロセッサと、固有光学的目印キーを表す一個以上の光学的目印を自身内に備える光媒体と、上記マシンにより検索読取された上記固有キーを上記固有光学的目印キーと比較すべく作用的に構成された比較器と、上記プロセッサにより検索読取された上記固有キーが、上記光媒体の上記固有光学的目印キーと定義様式にて関係付けられたなら、上記光記録媒体上に記憶された上記コンテンツ・データの読取りを許容すべく作用的に構成された読取り切換え機構とを備えて成るプロセッサ・セキュリティ・システム。
【請求項１３】
前記固有光学的目印キーを構成する前記光学的目印は、当該システムの少なくともひとりのユーザにより設定不能または変更不能である請求項１２記載のプロセッサ・セキュリティ・システム。
【請求項１４】
前記読取り切換え機構はソフトウェア命令群である請求項１２記載のプロセッサ・セキュリティ・システム。
【請求項１５】
前記読取り切換え機構は、前記プロセッサにより検索読取された前記固有キーに対して前記光記録媒体の前記固有光学的目印キーが整合するときに、上記光媒体上に記憶された前記コンテンツ・データの読取りを許容する請求項１２記載のプロセッサ・セキュリティ・システム。
【請求項１６】
前記プロセッサは自身の固有キーを、該プロセッサに対して遠隔的な記憶デバイスから検索読取りする請求項１２記載のプロセッサ・セキュリティ・システム。
【請求項１７】
前記プロセッサは自身の固有キーを、該プロセッサの近位の記憶デバイスから検索読取する請求項１２記載のプロセッサ・セキュリティ・システム。
【請求項１８】
前記プロセッサは自身の固有キーを、入力から該キーを算出することにより検索読取する請求項１２記載のプロセッサ・セキュリティ・システム。
【請求項１９】
前記光媒体は３次元的な光記録媒体から成る請求項１２記載のプロセッサ・セキュリティ・システム。
【請求項２０】
前記固有光学的目印キーは、前記光媒体の均質材料の光学的状態とは異なる光学的状態である一種類以上の材料から成る請求項１２記載のプロセッサ・セキュリティ・システム。
【請求項２１】
プロセッサ上で読取可能なコンテンツを特定のプロセッサに制限する方法であって、光媒体上に固有キーを記憶する段階であって、上記固有キーは上記光媒体の基板とは別個の一個以上の光学的目印から成るという段階と、上記プロセッサに対して固有のプロセッサ識別キーを検索読取する段階と、上記固有光媒体キーを上記固有プロセッサ識別キーと比較する段階と、両方のキーが存在し且つ整合するのでなければ、上記コンテンツの更なる使用を阻止する段階とを備えて成る方法。
【請求項２２】
前記コンテンツはビデオおよび／またはオーディオである請求項２１記載の方法。
【発明の詳細な説明】
【技術分野】
【０００１】
関連出願
本出願は、２００５年４月５日に出願された米国仮特許出願第６０／６６８，２６２号の優先権を主張する。
本発明は概略的に、当該光媒体が載置して読取られるという処理デバイスに対して光媒体をロックする光媒体登録システムに関する。
【背景技術】
【０００２】
ソフトウェア、および、ビジュアルおよびオーディオ関連のデジタル・データの如き他の形態のコンテンツ・データの開発は、時間および費用の面で相当量の投資を意味する。斯かるコンテンツ・データは概略的に可搬記憶媒体に記憶され、該媒体はその後に購入者に対して販売される。遺憾乍ら、可搬記憶媒体からのコンテンツ・データの不正な使用およびコピーは典型的に非常に容易であり、時間も投資も殆ど必要としない。可搬データ記憶媒体からのコンテンツ・データを外部記憶することは多くの場合に容易であると共に、複数台の処理機に対する上記コンテンツ・データの記憶を許容してしまう。
【０００３】
コンテンツ・データの著作権侵害を抑制する多くの試みが為されてきた。以下においては、斯かる試みの幾つかが記述される。
【０００４】
ひとつの手法においては、コンテンツ・データ内に通し番号が載置されることで、通し番号付きのコンテンツ・データの不正コピーの追跡が許容される。この方法に伴う問題は、違法コピーを追い詰めるためには外部的な取締りの作業が必要なことである。更に、斯かる多数のシステムのハッカーは、通し番号を発見して消去することが比較的に容易であることを見出している。
【０００５】
別の手法においては、特定のコンテンツ媒体に対して通し番号を整合させるコードを含むハードウェア・キーが用いられる。而して、整合するキーがコンピュータのポートに挿入されなければ、該キー上もしくは上記コンピュータ上のいずれかのソフトウェア・プログラムは、コンテンツ媒体の実行もしくは読取りを禁止する。この手法に伴う問題は、キーおよびディスクの両方が他のマシンへと移転され得ることである。
【０００６】
更に別の手法においては、当該可搬データ記憶媒体を処理する特定プロセッサを識別するコードが可搬データ記憶媒体上に記憶され、該コードは、上記可搬データ記憶媒体上のソフトウェア・プログラムであって、上記媒体上の該コードがマシンに記憶されたコードと結果的に整合しなければ上記可搬データ記憶媒体の使用を禁止するというソフトウェア・プログラム内とされる。たとえば特許文献１は、マシンに対して固有のマシン識別コードが検索読取されてプログラム内のマシン識別コードと比較されると共に、両方のコードが存在して整合するのでなければ上記プログラムの実行が拒否されるというシステムを記述している。
【０００７】
特許文献２に記述された更に別の手法においては、アプリケーション・プログラムを採用するコンピュータ・システムの特性であって、バス・サイズ、コンピュータ・クロック速度、ＲＯＭの巡回冗長性、ランダム・アクセス・メモリの待機ステート、ディスク・ドライブ回転速度、読取り／書込みヘッド・アクセス速度およびハードディスク・インターリーブ値の如き特性が、コンピュータ・システムに対する上記アプリケーション・プログラムの挿入時に測定されてから、該アプリケーション・プログラム内に記憶される。上記アプリケーション・プログラムの実行が求められた場合、該プログラムはコンピュータ・システムの特性を再決定し、記憶された値に対して比較する。
【０００８】
特許文献３においては、適切なライセンス付与手順が守られたならば、その場合においてのみ、プラットフォーム上での使用モードでデジタル式のデータもしくはソフトウェアが実行されることを許容する登録システムが記述されている。一実施例においては固有識別子がローカル的に生成され、且つ、このローカルの固有ＩＤを生成するために使用されたアルゴリズムは、整合目的で別の固有ＩＤを生成するために遠隔的に複製される。上記固有識別子は少なくとも部分的に、ユーザにより供給された情報であって該ユーザを特徴付ける情報に基づく。
【０００９】
上述された各登録システムは、磁気フロッピー・ディスク、磁気テープおよび光ディスクの如き利用可能な任意数の可搬コンテンツ記憶媒体に関して使用され得る。先行技術の登録システムの多くに伴う問題は、これらのシステムが、ひとつ以上のコンピュータ・システムに対する可搬コンテンツ記憶媒体のロックを達成するために、該可搬コンテンツ記憶媒体に対するデジタル・データ・コードの付与を必要とすることである。読取器により読取り可能なこともあるこれらのコードは、残念乍ら、該コードが記憶されるセクタもしくは箇所において検出された該コードを変更することでハッカーにより容易に裏をかかれ得る。
【特許文献１】米国特許第４，６８８，１６９号
【特許文献２】米国特許第５，１１３，５１８号
【特許文献３】米国特許第５，４９０，２１６号
【非特許文献１】なし
【発明の開示】
【発明が解決しようとする課題】
【００１０】
可搬データ記憶媒体上に記憶されたコンテンツに対するアクセスを、該可搬データ記憶媒体の使用が許可された単一もしくは複数の処理システム対して制限する優れたシステムに対する要望が在る。
【００１１】
定義：
“目印”：状態を表すためにアイテム上に意図的に載置された識別可能なマーク、オブジェクトまたは標識。
【００１２】
“近視野光学機器”：は、光の波長よりも小さい電磁波長を放出すべく構成された光源を採用し、斯かる電磁波長は、光源からの距離が同様に１波長よりも小さいという物体を照射して検出するために使用される。近視野光学機器によれば、ナノメータ領域において光学場と物体との間の相互作用が検出され得る。近視野光学機器は、エバネッセント場、および、伝搬する光照射野を活用する。近視野光学機器は、光の波長よりも相当に小さな開孔を通して該光を送ることにより、次に、波長よりも相当に小寸の距離において上記開孔およびサンプルを相互に走査することにより、典型的なレンズ式の光学機器のｘ、ｙ、ｚにおける解像度限界を打破すべく使用され得る。
【００１３】
“光学的に読取可能な目印”：光学的読取器により検出可能な目印。
【００１４】
“光媒体”：光学的読取器により読取られ得る目印もしくはコンテンツを記憶し得る（必ずしも円形ではない）任意の幾何学形状の媒体。
【００１５】
“光学的読取器”：光媒体の読取りのための（以下に定義される）読取器。
【００１６】
“読取器”：光媒体上に記録された目印を検出し得る任意のデバイス。“読取器”という語句によれば、限定的なものとしてで無く、再生器を包含することが意味される。その例は、ＣＤ読取器およびＤＶＤ読取器である。
【００１７】
“記録層”：読取り、再生、または、コンピュータに対するアップローディングのために目印もしくはコンテンツが記録された光媒体のひとつ以上の層。斯かるコンテンツとしては、限定的なものとしてで無く、ソフトウェア・プログラム、ソフトウェア・データ、オーディオファイルおよびビデオファイルが挙げられる。
【００１８】
“３次元的な光記録媒体”：光媒体上のひとつより多い平面もしくは記録層において目印もしくはコンテンツの記憶を許容する光媒体。
【００１９】
本開示の残部に対し、各語句はそれらが全て大文字で始まる否かに関わらず、上記で定義された語句が意図されることは理解される。
【課題を解決するための手段】
【００２０】
本発明は、一実施例において、光媒体を処理システムに登録する方法を提供する。
【００２１】
一実施例においてはひとつ以上の平面内に固有コードが載置され、該平面のひとつ以上、または、ふたつ以上は、３次元的な光記録媒体における記録層を構成し得る。上記固有コードは、たとえば、処理システムおよび／またはユーザに対して関係付けられ得る。もし上記３次元的な光記録媒体が可搬コンテンツ記憶媒体であれば、上記固有コードは、ユーザに対する上記光媒体の供与の前に、または、供与の後に、上記媒体上に固有コードを生成すべく上記処理システム上で引き続き実行されるアルゴリズムにより生成される。上記固有コードは、全体的に又は部分的に、たとえば、（たとえばバス・サイズ、コンピュータ・クロック速度、ＲＯＭの巡回冗長性、ランダム・アクセス・メモリの待機状態、または、インターリーブ値の如き）オペレーティング・システムのパラメータ、および／または、たとえばユーザにより提供された一群の質問に対する回答または個人情報の如きユーザにより供給されたデータに基づき得、且つ／又は、上記３次元的な光記録媒体の製造の時間および日時を考慮する如き他の非システム／非ユーザ関連データを用いて生成され得る。
【００２２】
更に別の実施例において、上記３次元的な光記録媒体の読取器は近視野光学機器を利用し、且つ、上記３次元的な光記録媒体は、少なくともひとつの記録層内もしくは該層上に、標準的なレンズ系システムではなく近視野光学機器システムにより読取可能であるという目印および／またはデータを記憶する。斯かる実施例においてデータ記憶容量は大幅に増進されることで、ひとつの３次元的な光記録媒体上に例えば約１テラバイト（約１０２４ギガバイト、または、概略的に１０１２バイト）のデータが記憶されることを許容する。上記固有コードが書込まれ得る又は分散され得る更に多数の平面が付与されたなら、上記固有コードを変更すること、または、データ読取りにより該固有コードを決定することの困難性は相当に増進される。上記固有コードは、ひとつ以上の記録層における目印／データ、各記録層の外側における目印、および／または、ひとつ以上の記録層の外側における目印により表され得る。
【００２３】
別実施例においては、当該光媒体が関連するシステムもしくはユーザに対して相関する様式で、たとえば染料などの一種類以上の材料が光媒体内に載置される。上記材料は上記システムもしくはユーザに従い固有的に載置され得、且つ／又は、光媒体の使用が許可されたシステムもしくはユーザに対して特に関連付けられ得る特定材料が非固有位置に載置され得る。
【００２４】
別実施例においては、一個以上のエラー、または、設定不能もしくは変更不能なデータ読取内容（すなわち“永続的な読取り状態”）が、媒体内に導入され、または、媒体に特有とされ、且つ、固有コードの少なくとも一部分に対応する。斯かる永続的な読取り状態は、３次元光媒体の如き複数の記録層を有する光媒体内に載置され得る。各媒体における個々の製造差は、マッピングされることで、ディスク上における固有コードの少なくとも一部分を提供し得る。上記の差は、各ディスクの内部となる認証およびロックを提供する。
【００２５】
上記光媒体は、たとえば、現在のＣＤ／ＤＶＤディスクと同一の、または略々同一の直径および厚さおよび相対重量を有するディスク形態とされ得る。これによれば、現在のＣＤ／ＤＶＤの光学的ピックアップ・ユニットと類似した単一個の読取り／書込みレーザ・ヘッドが使用され得る。光学的読取器上に見出される現在のＣＤ／ＤＶＤ光学的アセンブリの遠視野光学機器の構成は、近視野の読取り／書込み構成と交換され得る。これによれば、非常に小さな深度の読取り／書込み焦点が許容されることで光媒体の単位面積当たりに更なるデータが記憶され得ると共に、光学的データの書込み／読取り時に光学的記録層間のクロストークが防止される。
【００２６】
更に別の実施例においては、プラットフォーム上で使用されるコンテンツ・データが使用モードにおいて実行されることをライセンス付与する登録システムであって、多重記録層光媒体上に記録された固有ＩＤと、上記多重記録層光媒体上に記録された上記固有ＩＤが、上記プラットフォームに対して既知である固有ＩＤと整合するときに、上記コンテンツ・データの使用を許容するモード切換えシステムとを含む登録システムが開示される。上記プラットフォームは、コンピュータの如きプロセッサであり得る。上記多重記録層光媒体は、３次元的な光記録媒体であり得る。上記固有ＩＤは、ひとつ以上の記録層内、および／または、上記ひとつ以上の記録層の外部に記憶され得る。上記モード切換えシステムは、ソフトウェア・プログラムを備え得る。上記固有ＩＤは、上記システムのユーザに関連する入力、および／または、一連の質問に対するユーザ回答、および／または、コンピュータの動作パラメータ、および／または、上記システムもしくはユーザに関連しない入力を用いて算出され得る。
【発明の効果】
【００２７】
本発明に依れば、可搬データ記憶媒体上に記憶されたコンテンツに対するアクセスを、該可搬データ記憶媒体の使用が許可された単一もしくは複数の処理システム対して制限する優れたシステムが提供される。
【発明を実施するための最良の形態】
【００２８】
本発明は、データ伝送および情報記憶を安全にするコンテンツ登録システムを提供する。
【００２９】
一実施例においては光媒体において、デジタル・データを表し得る一個以上の目印を備える固有のコードもしくはキーが形成される。上記目印は、ひとつの記録層内に形成され得るか、または、光媒体内における異なる記録層に亙りもしくはひとつ以上の平面に分散され得る。上記目印は、光媒体の大部分を構成する（ポリカーボネートの如き）材料とは異なる一種類以上の材料から成り得るか、または、光媒体における一個以上の変形部分もしくは収差であって一個以上のデータ・エラー状態に帰着し得るという一個以上の変形部分もしくは収差から成り得る。上記固有のコードもしくはキーは、該コードもしくはキーが多重記録層光媒体、特に３次元光媒体上に記憶されるときに、光媒体上に更に効果的に分散され得る。上記目印は、光媒体において光学的読取器により検出可能なデータもしくは光学的な不均一性を引き起こす如きサイズおよび特性とされるべきである。
【００３０】
一実施例において、上記固有コードもしくはキーはユーザに対する光媒体の出荷の前に生成される。斯かるコードは部分的に、処理システムに関してユーザが提供した情報であって該コードがそれに基づいて暗号化されるべき情報に基づき得る。
【００３１】
一実施例において光媒体は、該光媒体のコードもしくはキー、または、該コードもしくはキーに関係付けられ得る関連コードもしくはキーを、上記光媒体上に記憶されたコンテンツを使用すべく構成されたプロセッサ上へとダウンロードさせるソフトウェア・プログラムを含む。代替的に、プロセッサをディスクに対してロックするソフトウェア・プログラムは、該プロセッサ自体上に存在し得ると共に、該ソフトウェア・プログラムによりプロセッサは、光媒体上に配置されたコードもしくはキー（または、それに対して関係付けられたコードもしくはキー）をプロセッサ自体上に記憶し得る。代替的に、光媒体の固有コードもしくはキーまたはそれと関係付けられたコードもしくはキーをプロセッサに記憶させるソフトウェア・プログラムは、上記プロセッサもしくは光媒体に対して作用的に関係付けられた別のデバイス上に配置される。
【００３２】
更なる実施例は、光媒体上の固有コードもしくはキーと、プロセッサ上のキーもしくはコードとの間の整合をチェックするコードを含む。斯かるコードは、光媒体上、プロセッサ上、プロセッサまたは光媒体と作用的に関係付けられたデバイス上、または、プロセッサおよび光媒体のいずれかもしくは両方に対する遠隔デバイス上に見出され得る。
【００３３】
別実施例において固有コードもしくはキーは、光媒体の製造後に、該光媒体上への目印の選択的な記録により生成される。上記の選択的な記録は、光媒体上、プロセッサ上、または、該プロセッサおよび／または光媒体に対して遠隔的なデバイス上に記憶されたプログラム命令群の影響下で行われ得る。たとえば、光媒体上の固有コードもしくはキーは、プロセッサ内への最初のインストール後に生成され得る。
【００３４】
上記固有コードもしくはキーは、たとえば、少なくとも部分的に、光媒体が最初にインストールされるプロセッサのパラメータ構成であってインターリーブ値もしくはデータ処理速度の如き値などに基づくパラメータ構成に基づき得る。光記録媒体上に記憶される上記固有コードもしくはキーは、たとえば、少なくとも部分的に、上記光媒体上に記憶されたコンテンツの対象ユーザにより提供される入力に基づき得る。たとえば対象ユーザは、質問を選択する個人的情報もしくは回答であって該ユーザを識別すべく使用され得る個人的情報もしくは回答を提供し得ると共に、このデータは、固有コードもしくはキーを生成すべく使用され得る。光媒体上のコードもしくはキーは、プロセッサの製造時に、または、プロセッサの製造に引き続いて、プロセッサに関係付けられたプロセッサ・コードもしくはキーに基づき得る。
【００３５】
固有であり得るコードもしくはキーを含みまたは含むべき光媒体は、３次元的な光記録媒体内に作成され得る。斯かる媒体において上記コードもしくはキーは、ディスクのひとつ以上の平面に亙り分散されることで、強化された安全性を提供し得る。
【００３６】
光の波長に対し、または、光の波長より短い近視野波長の如き一定の電磁放射線に対して感応的である光媒体材料内に含めることにより、目印は光媒体内に作成され得る。斯かる材料としては、有機または無機とされ得る光学的状態変化材料が挙げられる。上記目印は、光媒体が載置されるべき光学的読取器により生成される電磁放射線であって例えば遠視野または近視野電磁放射線などの電磁放射線による該目印の読取りを許容すべく設計され得る。上記材料の光学的状態の変換により、または、光媒体内におけるひとつの材料に対する該光媒体内における別の材料の相互作用により、目印の３次元的作製が引き起こされ得る。たとえば、光重合の如き光化学的および物理的な反応を、３次元においてレーザ波長のオーダーまで局限するために、二光子吸収（ＴＰＡ）が使用され得る。ＴＰＡは例えば、対物レンズ（開口数＝１．４）を通して焦点合わせされたモード固定Ｔｉ：サファイア・レーザ（７８０ｎｍ、８２ＭＨｚ、８０ｆｓ）を用いて行われ得ると共に、放出された電磁放射線は、焦点を変更することにより、３次元的な目印構造を作製し得る。目印は、たとえばＰＭＭＡ上に書込まれ得る。
【００３７】
コードもしくはキー目印は、コンテンツ目印と関係付けられ且つ／又はコンテンツ目印から分離され得る。コンテンツ目印とは、光学的読取器を介した使用のために光媒体上に記憶される実際のコンテンツを構成する目印である。コンテンツ目印は、光媒体のひとつ以上の記録層内またはひとつ以上の平面内に記憶され得る。光媒体内に複数の記録層が包含される場合には、該光媒体上に更なるコンテンツ・データが記憶され得る。光媒体が、複数個のデータ記憶平面を有する３次元的光媒体から成る場合、表面層上のみにデータを記憶する光媒体と比較して、記憶容量の増大は相当に増進され得る。３次元的光媒体を読取るべく近視野光学機器が使用される場合、該光媒体は、該媒体を読取るために遠視野光学機器が使用されるときよりも遙かに多数の記録層を有し得る。
【００３８】
キーもしくはコードから成る目印は一個以上のエラーから成り得、該エラーは、光媒体の製造の間に導入され得るか、または、光媒体の製造の後で導入され得る。一実施例においてエラーは、プロセッサに対してインタフェースされた光学的読取器上に光媒体が載置されたときに導入され得る。次に上記コードもしくはキー目印は、光ディスクの如き各光媒体の内部における認証およびロックに対して使用され得る。
【００３９】
一実施例においては使用モードにおいてコンテンツ・データの実行をライセンス付与する登録システムが開示され、コンテンツ・データはプラットフォーム上で使用され、上記システムは、多重記録層光媒体上に記録された複数個の光学検出可能目印を備える固有ＩＤと、上記多重記録層光媒体上に記録された上記固有ＩＤが、上記プラットフォームに対して既知の固有ＩＤと整合し又は該既知の固有ＩＤと相関可能であるときにコンテンツ・データの使用を許容するモード切換えシステムとを含む。上記固有ＩＤは、光媒体自体から提供される入力、又は、遠隔情報源から提供されるデータのいずれかにより、上記プラットフォームに対して既知となり得る。選択的に、上記光媒体の固有ＩＤが、上記プラットフォームに対して既知の固有ＩＤに対し、一定の定義様式で整合するか又は別様に相関可能であり、且つ、上記プラットフォームの固有ＩＤが変更されていない（または認識可能な様式で変更されている）場合にのみ、上記モード切換えシステムは、デジタル・データの如きコンテンツ・データの後時的な実行時に使用モードにて該コンテンツ・データの動作を許容しても良い。
【００４０】
上記登録システムは選択的に、コンテンツのブート読取りの時点にて、それが該コンテンツの最初の読取りであるか後時的なブート読取りであるかに関してチェックし得る。もし後時的なブート読取りであることが検出されたなら、プログラムがデモンストレーション・モードに復帰するか、または、完全バージョンを実行するために新たなユーザ登録手順が開始されるか、または、完全な読取り機能が付与されるかを決定するために、環境およびユーザの詳細が使用され得る。
【００４１】
プラットフォーム固有ＩＤまたは光媒体固有ＩＤは、全体的に又は部分的に、プラットフォーム設定情報に基づき得る。生成されたプラットフォーム固有ＩＤ、または、光媒体固有ＩＤは、プラットフォームに対して提供される情報入力であって、ユーザ経由とされ得ると共にユーザ、プラットフォームまたは他の検証可能情報に関連し得るという情報入力に基づき得る。
【００４２】
固有的に識別される光媒体はまた、ソフトウェアの如きコンテンツ・データの配布を制御するシステムおよび方法においても使用され得る。上記システムおよび方法は、コンテンツに関係付けられたモード切換えシステムであって、完全有効化モードと、部分的有効化モードもしくはデモンストレーション・モードとの間で上記コンテンツを切換え得るというモード切換えシステムを利用し得る。上記システムおよび方法は、コンテンツの対象ユーザを識別する情報の関数である登録キーを生成し得る登録キー生成器を利用し得る。上記モード切換えシステムは、光媒体の登録の時点で有効化キーが入力されたときにのみ、入力時に完全有効化モードへと切換えを行う。斯かる有効化キーは、光媒体を読取るプロセッサにより、または、たとえば登録キー生成器の複製物を有する遠隔プロセッサにより生成され得る。上記モード切換えシステムおよび登録キー生成器は、ソフトウェア命令群から成り得る。
【００４３】
斯かるシステムにおいて光学的目印を引き起こすために使用され得る材料としては、染料が挙げられる。上記システムにおいて有用な染料としては、現在において光学的記憶媒体において使用される記録染料が挙げられる。選択的な染料系を選ぶことにより、該染料は、たとえば光ディスクなどの光媒体のペレット化および引き続く成形に伴う型成形の圧力および温度に依る劣化なしで、光学的記憶物用の成分ポリマ内へと直接的に混合され得る。これによれば、光基板上にスピン被覆もしくはスパッタ被覆される現在入手可能な記録染料と比較して、進歩がもたらされる。たとえば、ＨＥＭＡに対して架橋されたメチレンブルーは、ポリカーボネートの如き光学的記憶物用の成分ポリマに対して直接的に添加され得ると共に、該染料の劣化なしでディスクへと作成され得る。
【００４４】
２５０ミリリットルのメトキシプロパノール中において、２５グラムのＨＥＭＡに対して５グラムのメチレンブルーが添加され得る。ＨＥＭＡ−プロピレン・ブルーを形成する架橋は、２４時間に亙り行われ得ると共に、架橋剤を必要とし得る。
【００４５】
原料となる１０ミリリットルのＨＥＭＡ−プロピレン・ブルー架橋溶液が、４９０ミリリットルのメトキシプロパノールに添加される。次に、４９０個の溶融ポリカーボネート・ペレットが加えられ、該ペレット溶液は、メトキシプロパノールが蒸発されるまで一晩中攪拌される。染料−ポリカーボネート混合物は、たとえばＧＥプラスティックス社（ＧＥ−Ｐｌａｓｔｉｃｓ）、タシジン・プラスティックス社（Ｔａｓｈｊｉａｎ  Ｐｌａｓｔｉｃｓ）またはバイヤー・プラスティックス社（Ｂａｙｅｒ  Ｐｌａｓｔｉｃｓ）により製造された標準的なポリカーボネート・ペレット形成機器を用いてペレット化される。該ペレットは翌日において、ディスクを形成するために使用され得る。
【００４６】
本発明の光学的記憶媒体は、ゲーム、ビデオ、オーディオ、ソフトウェア・プログラム、キー、および、他のコンテンツを構成し得る。ＨＤ−ＤＶＤまたはブルーレイ技術を構成し得る上記光媒体は、たとえば、光媒体（該光媒体は携帯電話をロックすべく使用され得る）と、通信のための通し番号付きの光学的構成要素とを用いる携帯電話などの、斯かる媒体を読取るべく作用的に構成された多数のプロセッサの内の一台以上のプロセッサに関係付けられ得る。光学的ロックを有する大容量データ記憶装置は、３次元光媒体の使用から帰着し得る。
【００４７】
上記光学検出可能目印を備える材料は、その光学的状態を、定常的様式で保持し得る。すなわち、上記材料は自身の活性化光学状態を、永続的ではないとしても長期の期間に亙り保持し得る。適切な材料を選択することにより、光学状態変化は一定の期間に対して制限されることで限定的使用期間が許容され得、すなわち、該状態変化が劣化した後でキーもしくはコードは崩壊してプロセッサはもはやそれを読取り得なくなる。
【００４８】
好適実施例に関する説明：
本発明は好適実施例に関して記述されたが、当業者であれば、本発明に対しては添付の各請求項により定義された本発明の精神または有効範囲から逸脱せずに種々の変更および／または改変が為され得ることを容易に理解し得よう。付加的もしくは代替的な詳細、特徴および／または技術的背景の教示に対して適切な場合、本明細書において引用された全ての文献は言及したことにより本明細書中に援用される。
【国際調査報告】
2008538046.tif 000002